(57)【要約】      （修正有）【課題】ロックスクリューが緩んでも調整リングが回転して設定済みの締付トルク値が変更を来たしたり、また現場の作業者が調整リングを悪戯しても簡単には調整リングを回すことができないプリセット型トルクレンチを提供する。【解決手段】締付トルクを設定するための調整リング３の後面３ａに、螺子孔３ｂを形成する。この螺子孔３ｂに調整リング３の後面３ａの側から螺子５をねじ込み、この螺子５の先端部分５ｂを差し込む孔６を、レンチ本体１の基端部１ａの端面に、レンチ本体１の軸心を中心とする円周上に等間隔をあけて複数形成する。この孔６に、締付トルクを調整後、螺子５の先端部分５ｂを侵入させて調整リング３の回転を防止する。【選択図】図１
0003177276.tif 000002
【実用新案登録請求の範囲】
【請求項１】
パイプ状のレンチ本体の軸心位置に締付トルク設定用の調整螺子がレンチ本体の軸心に沿って設けられ、この調整螺子を回転操作して締付トルクを設定するための調整リングがレンチ本体の基端部に設けられ、この調整リングをレンチ本体の基端部に固定するためのロックスクリューが調整リングの後面側に設けられているプリセット型トルクレンチであって、上記の調整リングの後面に螺子孔が形成され、この螺子孔に調整リングの後面の側から螺子がねじ込まれ、この螺子の先端部分が差し込まれる孔が、上記のレンチ本体の基端部の端面に、レンチ本体の軸心を中心とする円周上に等間隔をあけて複数形成され、この孔に、締付トルクを調整後、螺子の先端部分を侵入させて調整リングの回転が防止可能に形成されていることを特徴とするプリセット型トルクレンチ。
【請求項２】
請求項１記載のプリセット型トルクレンチであって、螺子の頭部を遮蔽すると共に、螺子の抜脱を防止するための目隠し板が、ロックスクリューと調整リングとの間に、レンチ本体の軸心を中心に回転可能に設けられ、また螺子の頭部に対応する目隠し板の位置に、目隠し板を介して螺子を回転操作するための開口部が形成されていることを特徴とするプリセット型トルクレンチ。
【請求項３】
請求項２記載のプリセット型トルクレンチであって、ロックスクリューの脱落を防止するためのピンが、目隠し板に形成されている貫通孔を介して調整リングの後面に差し込まれ、このピンが通される貫通孔が、レンチ本体の軸心に対応する目隠し板の中心周りの同じ円周上に円弧形に複数形成されていることを特徴とするプリセット型トルクレンチ。
【請求項４】
請求項３記載のプリセット型トルクレンチであって、目隠し板を介して螺子を回転操作するための開口部が、貫通孔と同じ円周上に形成されていることを特徴とするプリセット型トルクレンチ。
【考案の詳細な説明】
【技術分野】
【０００１】
本考案は、トルクレンチに関し、更に詳しくは設定した締付トルク値に至るとトルクが解放するよう形成されているプリセット型トルクレンチに関するものである。
【背景技術】
【０００２】
従来、この種のトルクレンチとしては、例えば特許文献１に記載されているものが知られている。
この従来品は、パイプ状のレンチ本体の軸心位置に締付トルク設定用の調整螺子を備え、この調整螺子を回転操作してトルク値を設定するための調整リングがレンチ本体の基端部に設けられ、この調整リングをレンチ本体の後端に固定するためのロックスクリュー（ロック螺子）が、調整リングの後面側に設けられているものである。
【０００３】
ところで、この種のレンチは、作業時にロックスクリューが周辺の工作物等に触れて緩むことがある。また作業者はレンチ本体の基端部よりの箇所を把持して操作するため、手が調整リングに触れるのを避けられない。そのためこの種のレンチは、作業者が気付かないうちに調整リングが回って締付トルク値が変更を来たすことがある。
【０００４】
また現場の作業者によっては、勝手に調整リングを回し、締付トルク値を悪戯して変更することがある。
従ってこの種のレンチは、ロックスクリューが緩んでも、設定した当初の締付トルク値が変わらないよう、また作業者が悪戯しても調整リングを簡単に回すことができないよう形成されているのが望ましい。
【先行技術文献】
【特許文献】
【０００５】
【特許文献１】特開２０００−２０２７８０号公報
【考案の概要】
【考案が解決しようとする課題】
【０００６】
本考案は、このような従来品の問題点に鑑み、提案されたものである。
従って本考案が解決しようとする技術的課題は、ロックスクリューが緩んでも調整リングが回転して設定済みの締付トルク値が変更を来たしたり、また現場の作業者が調整リングを悪戯しても簡単には調整リングを回すことができないよう形成したプリセット型トルクレンチを提供することにある。
【課題を解決するための手段】
【０００７】
本考案は、上記の課題を解決するため、次のような技術的手段を採る。
即ち本考案のトルクレンチは、図１等に示されるように、パイプ状のレンチ本体１の軸心位置に締付トルク設定用の調整螺子２がレンチ本体１の軸心に沿って設けられ、この調整螺子２を回転操作して締付トルクを設定するための調整リング３がレンチ本体１の基端部１ａに設けられ、この調整リング３をレンチ本体１の基端部１ａに固定するためのロックスクリュー４が調整リング３の後面３ａ側に設けられているプリセット型トルクレンチであって、上記の調整リング３の後面３ａに螺子孔３ｂが形成され、この螺子孔３ｂに調整リング３の後面３ａの側から螺子５がねじ込まれ、この螺子５の先端部分５ｂが差し込まれる孔６が、上記のレンチ本体１の基端部１ａの端面に、レンチ本体１の軸心を中心とする円周上に等間隔をあけて複数形成され、この孔６に、締付トルクを調整後、螺子５の先端部分５ｂを侵入させて調整リング３の回転が防止可能に形成されていることを特徴とする（請求項１）。
【０００８】
本考案の場合、螺子５は、頭部５ａに六角穴５ｃや四角穴等が形成されているものが好ましいが、これに限定されるものではなく、その種類は任意である。孔６は、有底状でも貫通状でも良い。螺子孔３ｂは、螺子５の形状に合わせて螺子５の頭部５ａを収納可能な形状に形成されているのが良い。
【０００９】
また本考案は、螺子５の頭部５ａを遮蔽すると共に、螺子５の抜脱を防止するための目隠し板８が、ロックスクリュー４と調整リング３との間に、レンチ本体１の軸心を中心に回転可能に設けられ、また螺子５の頭部５ａに対応する目隠し板８の位置に、目隠し板８を介して螺子５を回転操作するための開口部８ａが形成されているのが好ましい（請求項２）。
なぜならこれによると、螺子５を目隠し板８の開口部８ａを介して操作でき、且つ普段は螺子５の頭部５ａを隠し、悪戯で回されることを防止できるからである。
【００１０】
また本考案は、ロックスクリュー４の脱落を防止するためのピン９が、目隠し板８に形成されている貫通孔８ｂを介して調整リング３の後面３ａに差し込まれ、このピン９が通される貫通孔８ｂが、レンチ本体１の軸心に対応する目隠し板８の中心周りの同じ円周上に円弧形に複数形成されているのが好ましい（請求項３）。
なぜならこれによると、貫通孔８ｂが円弧形のため、目隠し板８を回すと、目隠し板８がピン９で案内されて螺子５の頭部５ａを隠すことができるからである。またこの場合は、貫通孔８ｂが複数形成されているため、ロックスクリュー４の回す角度に合わせ、ピン９の差込位置を調節し易くなるからである。
【００１１】
またこの場合、本考案は、目隠し板８を介して螺子５を回転操作するための開口部８ａが、貫通孔８ｂと同じ円周上に形成されているのが好ましい（請求項４）。
なぜならこれによると、螺子孔３ｂと、ピン９の差し込み用の小孔１０の位置決めが楽になるからである。
【考案の効果】
【００１２】
本考案は、このように調整リングの後面に螺子孔が形成され、この螺子孔に調整リングの後面の側から螺子がねじ込まれ、この螺子の先端部分が差し込まれる孔が、上記のレンチ本体の基端部の端面に、レンチ本体の軸心を中心とする円周上に等間隔をあけて複数形成され、この孔に、締付トルクを調整後、螺子の先端部分を侵入させて調整リングの回転が防止可能に形成されているものである。
【００１３】
従って本考案によると、ロックスクリュー４が緩んでも調整リングが回転して締付トルク値が変更を来たしたり、また現場の作業者が調整リングを悪戯しても簡単には締付トルク値を変更することができない、という実用上優れた効果を奏する。
【図面の簡単な説明】
【００１４】
【図１】本考案品の要部分解斜視図である。
【図２】本考案品の側面図である。
【図３】レンチ本体の基端部の正面図である。
【図４】目隠し板の正面図である。
【図５】本考案品の要部分解側面図である。
【図６】本考案品の要部縦断面図である。
【図７】Ａは螺子の側面図、Ｂは正面図である。
【図８】図７ＢのＶＩＩＩ−ＶＩＩＩ線における螺子と、レンチの断面図である。
【図９】Ａは螺子の斜視図、Ｂはレンチの一部を切欠した斜視図である。
【図１０】目隠し板の回転前の調整リングの後面側から見た正面図である。
【図１１】目隠し板の回転後の調整リングの後面側から見た正面図である。
【考案を実施するための形態】
【００１５】
以下、本考案の好適な一実施形態を添付図面に従って説明する。
本考案品は、パイプ状のレンチ本体１の軸心位置に、締付トルク設定用の調整螺子２が、レンチ本体１の軸心に沿って設けられている。
【００１６】
調整螺子２を回転操作して締付トルクを設定するための調整リング３が、レンチ本体１の基端部１ａに設けられている。また本考案は、この調整リング３をレンチ本体１の基端部１ａに固定するためのロックスクリュー４が、調整リング３の後面３ａ側に設けられている。このロックスクリュー４は、雌螺子４ａが調整螺子２の端部の雄螺子２ａにねじ込まれ、調整リング３の後面３ａ側に設けられている。
【００１７】
また本考案は、上記の調整リング３に、螺子孔３ｂが、調整リング３の軸心に沿って貫通状に、この実施形態では１個形成されている。そして、この螺子孔３ｂに、調整リング３の後面３ａの側から螺子５がねじ込まれている。
【００１８】
この螺子５は、図１、図７〜図９に示されるように、頭部５ａの反対側に、雄螺子状の軸部より径を縮小した先端部分５ｂが形成されている。そして螺子５の頭部５ａには、六角穴５ｃが形成され、この六角穴５ｃの中の螺子５の軸心位置に、突起５ｄが形成されている。
【００１９】
１１（図８、図９参照）は、螺子５を回転操作するためのレンチである。このレンチ１１は、六角穴５ｃに嵌合させる端部に、突起５ｄが入り込む凹孔１１ａを有して形成されている。
なお、螺子５の先端部分５ｂは長さが、約２ｍｍ程度に形成され、この先端部分５ｂはねじ山が省略されている。
【００２０】
また本考案は、図１、図３に示されるように、螺子５の先端部分５ｂが差し込まれる孔６が、上記のレンチ本体１の基端部１ａの端面に、レンチ本体１の軸心を中心とする円周上に等間隔をあけて複数形成されている。この孔６は、この実施形態では有底状に形成されていると共に、トルク設定用目盛７（図５参照）に対応して計１０個形成されている。本考案は、この孔６に、締付トルクを調整後、螺子５の先端部分５ｂを侵入させることにより、調整リング３の回転が防止されるものである。
【００２１】
また本考案は、図１、図４等に示されるように、螺子５の頭部５ａを遮蔽すると共に、螺子５の抜脱を防止するための目隠し板８が、ロックスクリュー４と調整リング３との間に、レンチ本体１の軸心を中心に回転可能に設けられている。この目隠し板８は、円板状に形成され、調整リング３の後面３ａから突き出される調整螺子２の端部の雄螺子２ａに丸孔８１が嵌め挿され、雄螺子２ａを中心に回転可能に設けられている。また目隠し板８は、螺子５の頭部５ａに対応する位置に、螺子５を回転操作するための開口部８ａが、この実施形態ではダルマ孔状に形成されている。
【００２２】
また本考案は、ロックスクリュー４の脱落を防止するためのピン９が、目隠し板８を介して調整リング３の後面３ａに差し込まれている。目隠し板８は、このピン９が通される貫通孔８ｂを備えて形成されている。この貫通孔８ｂは、レンチ本体１の軸心に対応する目隠し板８の中心周りの同じ円周上に円弧形に２個形成されている。また、この貫通孔８ｂと上記の開口部８ａとは、この実施形態では同じ円周上に形成されている。
【００２３】
上記のピン９は、調整リング３の後面３ａの適宜位置に形成されている小孔１０に差し込まれるものである。ロックスクリュー４は、図１、図５等に示されるように、その軸心の片側に切り欠き４ｂが形成され、回されると、この切り欠き４ｂを介して所定角度だけ回り、反対側の側面４ｃがピン９の突出端に係止するよう形成されている。ロックスクリュー４は、これにより目隠し板８を緩めるときは少しだけ回すことができ、抜け落ちが防止されるものである。
【００２４】
次に本考案品の作用を説明する。
【００２５】
先ず作業者は、調整リング３を回してトルクを設定したら、目隠し板８の開口部８ａを介して調整リング３に螺子５をねじ込み、その先端部分５ｂを孔６に侵入させる。これにより、調整リング３は、回転が防止され、固定される。
【００２６】
次に作業者は、ピン９を、目隠し板８の貫通孔８ｂを介して小孔１０に差し込む。そして、目隠し板８を少し回して開口部８ａをずらし、螺子５の頭部５ａを隠す。この場合、貫通孔８ｂは、円弧形のため、目隠し板８は、ピン９で止められることなく回転する。そして、作業者は、ロックスクリュー４を調整螺子２の端部の雄螺子２ａにねじ込み、目隠し板８を調整リング３の後面３ａに固定する。
【００２７】
これにより、本考案は、ロックスクリュー４が緩んでも、調整リング３が固定され、その緩みが防止される。また本考案は、螺子５の頭部５ａが、目隠し板８で隠されて目にふれないから、これによれば悪戯されることがない。
【００２８】
なお、締め付けトルク値を変更するときは、先ず作業者はロックスクリュー４を緩め、次に目隠し板８をずらして螺子５の頭部５ａを開口部８ａから露出させる。次に作業者は、開口部８ａを介して螺子５を緩め、その先端部分５ｂを孔６から抜き取る。これにより、調整リング３が回転可能になり、締め付けトルク値の変更が可能になる。
【符号の説明】
【００２９】
１      レンチ本体
１ａ    基端部
２      調整螺子
３      調整リング
３ａ    後面
３ｂ    螺子孔
４      ロックスクリュー
５      螺子
５ｂ    先端部分
６      孔
【図１】
0003177276.tif 000003
【図２】
0003177276.tif 000004
【図３】
0003177276.tif 000005
【図４】
0003177276.tif 000006
【図５】
0003177276.tif 000007
【図６】
0003177276.tif 000008
【図７】
0003177276.tif 000009
【図８】
0003177276.tif 000010
【図９】
0003177276.tif 000011
【図１０】
0003177276.tif 000012
【図１１】
0003177276.tif 000013